(57)【要約】【課題】パスワードが漏えいした場合であっても、第３者による電子機器の不正な使用を抑制する電子機器を提供する。【解決手段】電子機器１は、タッチパネル２と、制御部４と、記憶装置３とを備える。タッチパネル２は、パスワードの入力に使用される複数のキーを含む認証処理画面を表示する。タッチパネル２は、ユーザーによるパネル操作を受け付ける。制御部４は、複数のキーに含まれる少なくとも２つのキーの位置がパネル操作によって入れ替えられた複数のキーの配列を示す第１入力情報を取得する。制御部４は、第１入力情報が、認証配列情報３３と一致するか否かを判定する配列判定処理を実行する。認証配列情報３３は、ユーザーによって予め定められた複数のキーの配列を示す。【選択図】図３
2018206182.tif 000002
【特許請求の範囲】
【請求項１】
パスワードの入力に使用される複数のキーを含む認証処理画面を表示し、ユーザーによるパネル操作を受け付けるタッチパネルと、
前記複数のキーの位置が前記パネル操作によって入れ替え可能となるように前記認証処理画面を前記タッチパネルに表示させる制御部と、
前記パスワードを示すパスワード情報及び前記複数のキーの配列を示すキー配列情報を予め記憶する記憶装置と
を備え、
前記キー配列情報は、初期配列を示す初期配列情報、及び認証配列を示す認証配列情報を含み、
前記初期配列情報は、前記タッチパネルに前記認証処理画面の表示が開始されるときの前記複数のキーの配列を示し、
前記認証配列情報は、前記ユーザーによって予め定められた前記複数のキーの配列を示し、
前記制御部は、前記複数のキーに含まれる少なくとも２つのキーの位置が、前記パネル操作によって入れ替えられた前記複数のキーの配列を示す第１入力情報を取得し、
前記制御部は、前記複数のキーのうち、前記パネル操作によって選択されたキーに対応する文字の組み合わせを示す第２入力情報を取得し、
前記制御部は、前記第１入力情報が前記認証配列情報と一致するか否かを判定する配列判定処理、及び前記第２入力情報が前記パスワード情報と一致するか否かを判定するパスワード判定処理を実行する、電子機器。
【請求項２】
前記制御部は、前記パスワード判定処理を開始する前に、前記配列判定処理を実行する、請求項１に記載の電子機器。
【請求項３】
前記制御部は、前記第１入力情報が前記認証配列情報と一致すると判定すると、前記パスワード判定処理を実行し、前記第１入力情報が前記認証配列情報と一致しないと判定すると、エラーを通知する、請求項１又は請求項２に記載の電子機器。
【請求項４】
前記制御部は、前記第２入力情報が前記パスワード情報と一致すると判定すると、前記ユーザーによる前記電子機器の使用が可能な状態に遷移し、前記第２入力情報が前記パスワード情報と一致しないと判定すると、エラーを通知する、請求項３に記載の電子機器。
【請求項５】
前記パネル操作は、第１パネル操作、第２パネル操作、及び第３パネル操作を含み、
前記制御部は、前記複数のキーのうち、前記第１パネル操作を検知した位置に対応するキーを第１キーとして取得し、
前記制御部は、前記複数のキーのうち、前記第２パネル操作を検知した位置に対応するキーを第２キーとして取得し、
前記制御部は、前記複数のキーのうち、前記第３パネル操作を検知した位置に対応するキーを第３キーとして取得し、
前記第１パネル操作は、前記タッチパネルに対するタッチが規定時間以上持続した操作を示し、
前記第２パネル操作は、前記タッチパネルに対するタッチがリリースされた操作を示し、
前記第３パネル操作は、前記タッチパネルに対するタッチが前記規定時間未満の操作を示し、
前記制御部は、前記第１キーと前記第２キーとの位置を入れ替えることによって、前記第１入力情報を取得し、
前記制御部は、前記第３キーを取得した順序で前記第３キーを組み合わせることによって前記第２入力情報を取得する、請求項１〜請求項４のいずれか１項に記載の電子機器。
【発明の詳細な説明】
【技術分野】
【０００１】
本発明は、電子機器に関する。
【背景技術】
【０００２】
特許文献１には、暗証番号の入力に用いられるテンキーをタッチパネルに表示する操作表示装置が開示されている。詳しくは、特許文献１に開示のテンキー操作表示装置は、タッチパネル及びコントローラーを有する。コントローラーは、タッチパネルによるテンキーの表示を制御する。詳しくは、コントローラーは、操作者が変わる度に複数のキー配列パターンから１つのキー配列パターンを選択する。これにより、操作者が変わる度に、タッチパネルに表示されるテンキーの配列パターンが変更される。
【先行技術文献】
【特許文献】
【０００３】
【特許文献１】特開２００５−２５８８３８号公報
【発明の概要】
【発明が解決しようとする課題】
【０００４】
しかしながら、特許文献１に開示のテンキー操作表示装置のように、タッチパネルの操作者が変わる度にテンキーの配列パターンを変更するだけでは、パスワードが第３者に漏えいした場合に、第３者によって電子機器が不正に使用される虞がある。
【０００５】
本発明は、上記課題に鑑み、パスワードが漏えいしたとしても第３者による電子機器の不正な使用を抑制する電子機器を提供することを目的とする。
【課題を解決するための手段】
【０００６】
本発明に係る電子機器は、タッチパネルと、制御部と、記憶装置とを備える。前記タッチパネルは、パスワードの入力に使用される複数のキーを含む認証処理画面を表示し、ユーザーによるパネル操作を受け付ける。前記制御部は、前記複数のキーの位置が前記パネル操作によって入れ替え可能となるように前記認証処理画面を前記タッチパネルに表示させる。前記記憶装置は、前記パスワードを示すパスワード情報及び前記複数のキーの配列を示すキー配列情報を予め記憶する。前記キー配列情報は、初期配列を示す初期配列情報及び認証配列を示す認証配列情報を含む。前記初期配列情報は、前記タッチパネルに前記認証処理画面の表示が開始されるときの前記複数のキーの配列を示す。前記認証配列情報は、前記ユーザーによって予め定められた前記複数のキーの配列を示す。前記制御部は、前記複数のキーに含まれる少なくとも２つのキーの位置が前記パネル操作によって入れ替えられた前記複数のキーの配列を示す第１入力情報を取得する。前記制御部は、前記複数のキーのうち、前記パネル操作によって選択されたキーに対応する文字の組み合わせを示す第２入力情報を取得する。前記制御部は、前記第１入力情報が前記認証配列情報と一致するか否かを判定する配列判定処理、及び前記第２入力情報が前記パスワード情報と一致するか否かを判定するパスワード判定処理を実行する。
【発明の効果】
【０００７】
本発明によれば、パスワードが漏えいしたとしても第３者による電子機器の不正な使用を抑制することができる。
【図面の簡単な説明】
【０００８】
【図１】本発明の実施形態に係る電子機器を示す図である。
【図２】本発明の実施形態に係る認証処理画面の一例を示す図である。
【図３】本発明の実施形態に係る電子機器の構成を示す図である。
【図４】（ａ）及び（ｂ）は、本発明の実施形態に係るテンキー配列の変更操作の一例を示す図である。
【図５】本発明の実施形態に係る変更操作後のテンキー配列の一例を示す図である。
【図６】（ａ）は、本発明の実施形態に係る認証配列の一例を示す図であり、（ｂ）は、本発明の実施形態に係る認証配列の他例を示す図である。
【図７】本発明の実施形態に係る第１エラー画面の一例を示す図である。
【図８】本発明の実施形態に係る暗証番号の入力操作の一例を示す図である。
【図９】本発明の実施形態に係る第２エラー画面の一例を示す図である。
【図１０】本発明の実施形態に係る配列判定処理を示すフローチャートである。
【図１１】本発明の実施形態に係る暗証番号判定処理を示すフローチャートである。
【発明を実施するための形態】
【０００９】
以下、図面を参照して、本発明に係る電子機器の実施形態について説明する。なお、図中、同一又は相当部分については同一の参照符号を付して説明を繰り返さない。
【００１０】
まず、図１を参照して、本発明の実施形態に係る電子機器１について説明する。図１は、本実施形態に係る電子機器１を示す図である。本実施形態において、電子機器１は、スマートフォンである。
【００１１】
図１に示すように、電子機器１は、タッチパネル２を備える。タッチパネル２は、ユーザーによるパネル操作を受け付ける。
【００１２】
本実施形態に係る電子機器１は、認証処理を実行する。認証処理が開始されると、認証処理画面がタッチパネル２に表示される。
【００１３】
なお、認証処理は、例えば、電子機器１の電源状態がオフ状態からオン状態に遷移したときに開始される。あるいは、認証処理は、電子機器１がロック状態である場合において、ユーザーの手指、又はタッチペン等がタッチパネル２などに触れたときに開始される。なお、電子機器１がロック状態である場合、ユーザーは、電子機器１の機能を使用することができない。一方、認証処理が成功して電子機器１のロック状態が解除されると、ユーザーは、電子機器１の機能を使用することができる。
【００１４】
続いて、図２を参照して、本実施形態に係る認証処理画面Ｓについて説明する。図２は、本実施形態に係る認証処理画面Ｓの一例を示す図である。
【００１５】
図２に示すように、認証処理画面Ｓは、テンキー１１及びパスワード入力欄１２を含む。本実施形態において、パスワードは、複数の数字を組み合わせた暗証番号である。
【００１６】
テンキー１１は、暗証番号の入力に使用される。テンキー１１は、矩形状のキーを複数含む。詳しくは、テンキー１１は、「０」〜「９」のそれぞれの数字に対応する数字キーを含む。以下では、「０」の数字に対応する数字キーを「０」キーと記載する場合がある。同様に、「１」〜「９」の数字に対応する数字キーをそれぞれ、「１」キー〜「９」キーと記載する場合がある。
【００１７】
「１」キー〜「９」キーは、３行３列に配列され、「０」キーは、「８」キーの下方に配置される。詳しくは、左列の上方から下方へ「１」キー、「４」キー、及び「７」キーがこの順に配置され、真ん中の列の上方から下方へ「２」キー、「５」キー、「８」キー、及び「０」キーがこの順に配置され、右列の上方から下方へ「３」キー、「６」キー、及び「９」キーがこの順に配置される。以下、テンキー１１における複数の数字キーの配列を「テンキー配列」と記載する。また、図２に示すテンキー配列を「初期配列ａ１」と記載する。初期配列ａ１は、認証処理画面Ｓの表示が開始されたときの複数の数字キーの配列を示す。換言すると、初期配列ａ１は、複数の数字キーの各々の初期位置を示す。
【００１８】
テンキー１１に含まれる複数の数字キーの各々の位置は、入れ替え可能である。換言すると、テンキー配列は、変更可能である。本実施形態において、テンキー配列を示す情報（以下、テンキー配列情報と記載する。）は、認証処理に使用される。
【００１９】
パスワード入力欄１２は、ユーザーがパネル操作によって複数の数字キーのいずれかを複数回（所定回数）選択すると、入力番号情報（第２入力情報の一例）を表示する。入力番号情報は、選択された数字キーに対応する数字列を示す。なお、ユーザーは、入力番号情報が非表示となるように設定することもできる。入力番号情報が非表示となるように設定された場合、パスワード入力欄１２には、入力番号情報に替えて、「＊（アスタリスク）」が表示される。本実施形態において、入力番号情報は、認証処理に使用される。
【００２０】
続いて、図３を参照して、本実施形態に係る電子機器１の構成について説明する。図３は、本実施形態に係る電子機器１の構成を示す図である。
【００２１】
図３に示すように、電子機器１は、タッチパネル２に加え、記憶装置３、及び制御部４を備える。
【００２２】
タッチパネル２は、ディスプレー２１及びタッチセンサー２２を含む。ディスプレー２１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。タッチセンサー２２は、例えば、抵抗膜方式のタッチセンサーを含む。
【００２３】
ディスプレー２１は、表示面を有する。ディスプレー２１は、制御部４による各種処理の結果等を表示面に表示する。
【００２４】
タッチセンサー２２は、タッチ面を有する。本実施形態において、タッチ面は、表示面の上方に配置される。
【００２５】
タッチセンサー２２は、タッチ面に対するパネル操作を検知すると（パネル操作を受け付けると）、パネル操作を検知した位置を示す信号を生成する。本実施形態において、パネル操作は、ホールド操作（第１パネル操作の一例）、リリース操作（第２パネル操作の一例）、及びタップ操作（第３パネル操作の一例）を含む。
【００２６】
記憶装置３は、典型的には、半導体メモリーを含む。具体的には、記憶装置３は、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶装置３は、電子機器１の各部の動作を制御するための制御プログラムを記憶する。制御プログラムは、制御部４によって実行される。なお、記憶装置３は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）のようなストレージデバイスを含んでもよい。
【００２７】
本実施形態において、記憶装置３は、図２を参照して説明した初期配列ａ１を示す初期配列情報３１を予め記憶する。また、記憶装置３は、暗証番号を示す暗証番号情報３２（パスワード情報の一例）及び認証に使用されるテンキー配列（以下、認証配列と記載する）を示す認証配列情報３３を記憶する。暗証番号情報３２及び認証配列情報３３は、ユーザーによって予め記憶装置３に記憶される。
【００２８】
制御部４は、ＣＰＵ（Ｃｅｎｔｒａｌ  Ｐｒｏｃｅｓｓｉｎｇ  Ｕｎｉｔ）のようなプロセッサーによって構成される。制御部４は、記憶装置３に記憶された制御プログラムを実行することによって、電子機器１の各部の動作を制御する。
【００２９】
制御部４は、タッチセンサー２２が生成した信号を受信する。制御部４は、タッチセンサー２２から受信した信号に基づいて、タッチセンサー２２がパネル操作を検知した位置に対応する数字キーを判定する。この結果、制御部４は、パネル操作によって選択された数字キーに対応する数字を示す情報を取得する。
【００３０】
また、制御部４は、タッチセンサー２２から受信した信号に基づいて、パネル操作の種別がホールド操作、リリース操作、及びタップ操作のいずれであるかを判定する。ホールド操作は、タッチ面に対するタッチの時間が規定時間以上持続した操作を示す。リリース操作は、タッチ面に対するタッチがリリースされた操作を示す。タップ操作は、タッチ面に対するタッチの時間が規定時間未満の操作を示す。なお、規定時間は、予め設定された時間であって、例えば、２秒である。
【００３１】
本実施形態において、制御部４は、認証処理を実行する。認証処理は、配列判定処理、及び暗証番号判定処理（パスワード判定処理の一例）を含む。
【００３２】
続いて、図４（ａ）〜図７を参照して、本実施形態に係る配列判定処理について説明する。
【００３３】
まず、図４（ａ）〜図５を参照して、本実施形態に係るテンキー配列の変更操作について説明する。ユーザーは、パネル操作によってテンキー配列を変更することができる。具体的には、少なくとも２つの数字キーの位置を入れ替えることができる。図４（ａ）〜図５は、テンキー配列の変更操作の一例として、「１」キーの位置と「９」キーの位置とを入れ替える操作を示す。
【００３４】
図４（ａ）及び図４（ｂ）は、本実施形態に係るテンキー配列の変更操作の一例を示す図である。なお、図４（ａ）及び図４（ｂ）に示すテンキー配列は、初期配列ａ１である。図５は、本実施形態に係る変更操作後のテンキー配列の一例を示す図である。なお、図４（ａ）及び図４（ｂ）では、ユーザーが自身の手指によって行うパネル操作を例示している。
【００３５】
図４（ａ）に示すように、ユーザーがタッチ面上の第１位置Ｐ１においてホールド操作を行うと、制御部４は、ホールド操作された数字キーをホールドキー１０１（第１キーの一例）として取得する。図４（ａ）に示す例では、第１位置Ｐ１は、「１」キーの表示領域に含まれる。したがって、制御部４は、ホールドキー１０１として「１」キーを取得する。
【００３６】
次に、図４（ｂ）に示すように、ユーザーが、「１」キーに対するホールド操作を維持したまま（タッチ面をタッチしたまま）、第２位置Ｐ２まで手指を移動（ドラッグ操作）した後、リリース操作を行うと、制御部４は、リリース操作された数字キーをリリースキー１０２（第２キーの一例）として取得する。図４（ｂ）に示す例では、第２位置Ｐ２は、「９」キーの表示領域に含まれる。したがって、制御部４は、リリースキー１０２として「９」キーを取得する。
【００３７】
制御部４は、リリースキー１０２を取得すると、ホールドキー１０１とリリースキー１０２との位置を入れ替えた配列で複数の数字キーをタッチパネル２に表示させる。この結果、図５に示すように、「９」キーと「１」キーとの位置が入れ替わる。以下、少なくとも２つの数字キーの位置が初期位置から入れ替えられたテンキー配列を「入力配列ａ２」と記載する。制御部４は、入力配列ａ２を示す情報を入力配列情報（第１入力情報の一例）として、図３を参照して説明した記憶装置３に一時的に記憶させる。
【００３８】
入力配列情報は、配列判定処理に使用される。詳しくは、制御部４は、入力配列２ａが、認証配列情報３３によって示される認証配列と一致するか否かを判定する。入力配列ａ２と認証配列とが一致するか否かの判定は、例えば、パターンマッチングによって判定される。
【００３９】
続いて、図６（ａ）及び図６（ｂ）を参照して、本実施形態に係る配列判定処理について説明する。
【００４０】
図６（ａ）は、本実施形態に係る認証配列の一例を示す図である。図６（ｂ）は、本実施形態に係る認証配列の他例を示す図である。
【００４１】
図６（ａ）に示す認証配列３３１は、図２を参照して説明した初期配列ａ１と比べて「１」キーと「９」キーとの位置が入れ替わっている。つまり、認証配列３３１は、図５に示す入力配列ａ２と一致する。したがって、入力配列情報が図５に示す入力配列ａ２を示す場合、制御部４は、入力配列情報が認証配列情報３３（認証配列３３１）と一致すると判定する。換言すると、配列判定処理が成功する。
【００４２】
一方、図６（ｂ）に示す認証配列３３２は、初期配列ａ１と比べて、「１」キーと「４」キーとの位置が入れ替わっている。したがって、入力配列情報が図５に示す入力配列ａ２を示す場合、制御部４は、入力配列情報が認証配列情報３３（認証配列３３２）と一致しないと判定する。換言すると、配列判定処理が失敗する。制御部４は、配列判定処理が失敗であると判定すると、エラーを通知する。本実施形態において、制御部４は、配列判定処理が失敗であると判定すると、第１エラー画面をタッチパネル２に表示させる。なお、制御部４は、第１エラー画面をタッチパネル２に表示させることに替えて、アカウントをロックしてもよい。アカウントがロックされると、入力配列情報が認証配列情報３３と一致したとしても、ユーザーは、電子機器１の機能を利用できない。これにより、第３者による電子機器１の不正な使用を抑制することができる。
【００４３】
図７は、本実施形態に係る第１エラー画面Ｅ１の一例を示す図である。第１エラー画面Ｅ１は、第１エラーメッセージＭ１を含む。第１エラーメッセージＭ１は、配列判定処理が失敗である旨を示す。例えば、第１エラーメッセージＭ１は、「入力配列が正しくありません」を示すメッセージを含む。なお、制御部４は、第１エラー画面Ｅ１をタッチパネル２に表示させることに替えて、第１エラーメッセージＭ１を含むメールを、例えば、管理者に通知してもよい。
【００４４】
次に、図１〜図９を参照して、本実施形態に係る暗証番号判定処理について説明する。
【００４５】
まず、図８を参照して、本実施形態に係る暗証番号の入力操作について説明する。ユーザーは、パネル操作によって暗証番号を入力することができる。具体的には、暗証番号を入力する際に、ユーザーは、テンキー１１の中からいずれかの数字キーを選択するパネル操作を所定回数繰り返す。
【００４６】
図８は、実施形態１に係る暗証番号の入力操作の一例を示す図である。図８は、暗証番号の入力操作の一例として、「９」キーを選択する操作を示す。なお、図８では、ユーザーが自身の手指によって行うパネル操作を例示している。
【００４７】
図８に示すように、ユーザーは、タッチ面上の第３位置Ｐ３においてタップ操作を行う。第３位置Ｐ３は、「９」キーの表示領域に含まれる。したがって、制御部４は、「９」キーをタップ操作によって選択された数字キーとして取得する。以下、タップ操作によって選択された数字キーをタップキー１０３（第３キーの一例）と記載する。図８に示す例では、入力番号情報は非表示となるように設定されている。制御部４は、タップキー１０３を取得すると、パスワード入力欄１２に「＊」を表示させる。
【００４８】
本実施形態において、暗証番号は、４桁に設定されている。したがって、ユーザーは、タップ操作による数字キーの選択を４回繰り返すことによって暗証番号を入力する。制御部４は、タップ操作によって選択された数字キーを順次タップキー１０３として取得する。また、制御部４は、タップキー１０３に対応する数字を順次判定する。制御部４は、タップキー１０３を取得した順にタップキー１０３に対応する数字を組み合わせることによって、入力番号情報を取得する。入力番号情報は、図３を参照して説明した記憶装置３に一時的に記憶され、暗証番号判定処理に使用される。詳しくは、制御部４は、入力番号情報を取得すると、入力番号情報が、図３を参照して説明した暗証番号情報３２と一致するか否かを判定する。
【００４９】
制御部４は、入力番号情報が暗証番号情報３２と一致すると判定すると、電子機器１の状態をロック解除状態に遷移させる。一方、制御部４は、入力番号情報が暗証番号情報３２と一致しない（暗証番号判定処理が失敗である）と判定すると、エラーを通知する。本実施形態において、制御部４は、入力番号情報が暗証番号情報３２と一致しないと判定すると、第２エラー画面をタッチパネル２に表示させる。なお、制御部４は、第２エラー画面をタッチパネル２に表示することに替えて、アカウントをロックしてもよい。アカウントがロックされると、入力番号情報が暗証番号情報３２と一致したとしても、ユーザーは、電子機器１の機能を利用できない。これにより、第３者による電子機器１の不正な使用を抑制することができる。
【００５０】
図９は、本発明の実施形態に係る第２エラー画面Ｅ２の一例を示す図である。第２エラー画面Ｅ２は、第２エラーメッセージＭ２を含む。第２エラーメッセージＭ２は、暗証番号判定処理が失敗である旨を示す。例えば、第２エラーメッセージＭ２は、「暗証番号が正しくありません」を示すメッセージを含む。なお、制御部４は、第２エラー画面Ｅ２をタッチパネル２に表示させることに替えて、第２エラーメッセージＭ２を含むメールを、例えば、管理者に通知してもよい。
【００５１】
続いて、図１０及び図１１を参照して、本実施形態に係る配列判定処理及び暗証番号判定処理のフローについて説明する。図１０は、本実施形態に係る配列判定処理を示すフローチャートである。本実施形態において、配列判定処理は、制御部４が入力番号情報を取得すると開始される。
【００５２】
図１０に示すように、制御部４は、入力配列情報が認証配列情報３３と一致するか否かを判定する（ステップＳ１０２）。制御部４は、入力配列情報が認証配列情報３３と一致すると判定すると（ステップＳ１０２：Ｙｅｓ）、配列判定処理を終了する。一方、制御部４は、入力配列情報が認証配列情報３３と一致しないと判定すると（ステップＳ１０２：Ｎｏ）、第１エラー画面Ｅ１（図７参照）をタッチパネル２に表示して（ステップＳ１０４）、配列判定処理を終了する。
【００５３】
図１１は、本発明の実施形態に係る暗証番号判定処理を示すフローチャートである。本実施形態において、暗証番号判定処理は、入力配列情報が認証配列情報３３と一致すると制御部４によって判定された場合に（図１０のステップＳ１０２：Ｙｅｓ）、開始される。
【００５４】
図１１に示すように、制御部４は、入力番号情報が暗証番号情報３２と一致するか否かを判定する（ステップＳ２０２）。制御部４は、入力番号情報が暗証番号情報３２と一致すると判定すると（ステップＳ２０２：Ｙｅｓ）、電子機器１をロック解除状態に遷移させて（ステップＳ２０４）、暗証番号判定処理を終了する。一方、制御部４は、入力番号情報が暗証番号情報３２と一致しないと判定すると（ステップＳ２０２：Ｎｏ）、第２エラー画面Ｅ２（図９参照）をタッチパネル２に表示して（ステップＳ２０６）、暗証番号判定処理を終了する。
【００５５】
以上、本発明の実施形態について説明した。本実施形態によれば、制御部４は、暗証番号判定処理に加えて、配列判定処理を実行する。したがって、暗証番号が漏えいしたとしても、第３者による電子機器１の不正な使用を抑制することができる。
【００５６】
なお、本実施形態において、２つの数字キーの位置が入れ替えられる場合を例に説明したが、入れ替えられる数字キーの数は、２つに限定されない。例えば、３つ以上の数字キーの位置が入れ替えられてもよい。
【００５７】
また、本実施形態において、パスワードの入力に複数の数字キーを使用する構成を説明したが、パスワードの入力に使用するキーは、数字キーに限定されない。例えば、パスワードの入力に使用するキーは、アルファベットキーであってもよい。あるいは、「￥」のような記号キーであってもよい。
【００５８】
また、本実施形態において、パネル操作が、タップ操作、ホールド操作、及びリリース操作を含む場合を例に説明したが、パネル操作は、制御部４に対し、数字キーの選択、及び数字キーの位置の入れ替えを指示できる操作であればよい。
【００５９】
また、本実施形態において、ホールド操作及びリリース操作によってテンキー配列を変更する場合を例に説明したが、テンキー配列を変更する方法はこれに限定されない。例えば、タップ操作とは異なる強さでタッチパネル２をタッチする操作（タップ操作）によって第１キー及び第２キーが取得されてもよい。
【００６０】
また、本実施形態において、制御部４は、暗証番号判定処理を開始する前に、配列判定処理を実行したが、制御部４は、配列判定処理を開始する前に、暗証番号判定処理を実行してもよい。
【００６１】
また、本実施形態において、ユーザーは、入力配列情報を入力した後に入力番号情報を入力したが、ユーザーは、入力番号情報を入力した後に入力配列情報を入力してもよい。この場合、認証処理画面は、「確定」キーのような入力配列情報の入力の終了を示すキーを更に有する。
【００６２】
以上、本発明の実施形態について、図面（図１〜図１１）を参照しながら説明した。但し、本発明は、上記の実施形態に限られるものではなく、その要旨を逸脱しない範囲で種々の態様において実施することが可能である。また、上記の実施形態で示す数値、及び形状は、一例であって特に限定されるものではなく、本発明の効果から実質的に逸脱しない範囲で種々の変更が可能である。
【００６３】
例えば、本発明の実施形態では、テンキー１１が矩形状の数字キーを含む構成を説明したが、テンキー１１は、例えば、円形の数字キーを含んでもよい。
【００６４】
また、本発明の実施形態では、スマートフォンに本発明が適用される場合を例に説明したが、本発明は、例えば、スマートフォン以外の電子機器にも適用可能である。具体的には、本発明は、タッチパネルを有する電子機器に適用される。例えば、本発明は、タブレット端末のような電子機器にも適用可能である。
【産業上の利用可能性】
【００６５】
本発明は、電子機器の分野に有用である。
【符号の説明】
【００６６】
１        電子機器
２        タッチパネル
３        記憶装置
４        制御部
１０      認証処理画面
１１      テンキー
３１      初期配列情報
３２      暗証番号情報
３３      認証配列情報
【図１】
2018206182.tif 000003
【図２】
2018206182.tif 000004
【図３】
2018206182.tif 000005
【図４】
2018206182.tif 000006
【図５】
2018206182.tif 000007
【図６】
2018206182.tif 000008
【図７】
2018206182.tif 000009
【図８】
2018206182.tif 000010
【図９】
2018206182.tif 000011
【図１０】
2018206182.tif 000012
【図１１】
2018206182.tif 000013